(57)【要約】【課題】  シートにたるみやしわが形成されたり、あるいはシートと照明板との密着により干渉縞が形成されたりすることを防止することができる、意匠性の良いエレベータかご室の照明装置を得る。【解決手段】  エレベータかご室の天井に設置された光源から放射された光の着色や拡散あるいは文字や図の表示などを目的として光源の下方に設けられたシートが、照明板と間隙を有して対向する位置に設けられ、その一端部に設けられた張力付与部によって張力を与えられる。【選択図】      図２
2005060088.tif 000002
【特許請求の範囲】
【請求項１】
エレベータかご室の天井に設置された光源と、この光源から放射された光の着色や拡散あるいは文字や図の表示などを目的として前記光源の下方に設けられたシートと、前記光源の下方に設けられた透光性を有する照明板とを備えたエレベータかご室の照明装置において、前記シートは、前記照明板と間隙を有して対向する位置に設けられ、その一端部に設けられた張力付与部によって張力を与えられたことを特徴とするエレベータかご室の照明装置。
【請求項２】
エレベータかご室の天井に設置された光源と、この光源から放射された光の着色や拡散あるいは文字や図の表示などを目的として前記光源の下方に設けられたシートと、前記光源の下方に設けられた透光性を有する照明板とを備えたエレベータかご室の照明装置において、前記シートは前記照明板と間隙を有して対向する位置に設けられるとともにその一端部に設けられた張力付与部によって張力を与えられ、前記シートと前記照明板との間に設けられた前記間隙にスペーサを有することを特徴とするエレベータかご室の照明装置。
【請求項３】
前記スペーサは、前記照明板の前記シートに対向する面に設けられたことを特徴とする請求項２に記載のエレベータかご室の照明装置。
【請求項４】
前記照明板は、前記シートの上方に間隙を有して対向する位置に設けられた上部照明板と、前記シートの下方に間隙を有して対向する位置に設けられた下部照明板とを備えたことを特徴とする請求項１〜請求項３の何れかに記載のエレベータかご室の照明装置。
【請求項５】
前記シートは前記張力付与部が設けられた一端部の反対側が固定部に設けられるとともに、前記張力付与部としてバネが使用されていることを特徴とした請求項１〜請求項４の何れかに記載のエレベータかご室の照明装置。
【発明の詳細な説明】
【技術分野】
【０００１】
この発明は、エレベータかご室の照明装置に関するものである。
【背景技術】
【０００２】
従来のエレベータかご室の照明装置には、温度や湿度の変化により生じる天井照明板の歪みや反りを防止するために、板厚のほぼ等しい上下に位置する透光性樹脂板間に、透明な写真フィルムを介在させて互いに積層に固着してなる天井照明板を、エレベータかご室天井の光源下方に配設したものがある（例えば、特許文献１参照）。
【０００３】
【特許文献１】実開昭５８−１７０３６２号公報
【発明の開示】
【発明が解決しようとする課題】
【０００４】
特許文献１記載のエレベータかご室の照明装置では、上下に位置する照明板（透光性樹脂板）間にシート（写真フィルム）を固着させるために、上方に位置する照明板とシートとの間及びシートと下方に位置する照明板との間に、透明な両面接着テープを介在させている。しかし、両面接着テープを使用してシートの貼り合わせを行う場合には、シートにしわが形成されたり接着面に気泡が残留したりすることがあり、意匠性が悪いという問題があった。
【０００５】
また、両面接着テープを使用せずに、照明板でシートを上下から挟むことによってシートを固定する方法も考えられているが、照明板とシートとの熱膨張率の違いや照明板の押圧力の不均一などによってシートにたるみやしわが形成されたり、照明板とシートとが局部的に密着することにより、例えばニュートンリングのような干渉縞が形成されたりすることがあり、両面接着テープを使用する場合と同様に意匠性が悪いという問題が生じていた。
【０００６】
この発明は上述のような課題を解決するためになされたもので、シートにたるみやしわが形成されたり、あるいはシートと照明板との密着により干渉縞が形成されたりすることを防止することができる、意匠性の良いエレベータかご室の照明装置を提供することである。
【課題を解決するための手段】
【０００７】
この発明に係るエレベータかご室の照明装置は、エレベータかご室の天井に設置された光源から放射された光の着色や拡散あるいは文字や図の表示などを目的として光源の下方に設けられたシートが、照明板と間隙を有して対向する位置に設けられ、その一端部に設けられた張力付与部によって張力を与えられたものである。
【発明の効果】
【０００８】
この発明は、以上説明したように、エレベータかご室の天井に設置された光源から放射された光の着色や拡散あるいは文字や図の表示などを目的として光源の下方に設けられたシートが、照明板と間隙を有して対向する位置に設けられ、その一端部に設けられた張力付与部によって張力を与えられる構成としたことで、シートにたるみやしわが形成されたり、あるいはシートと照明板との密着により干渉縞が形成されたりすることを防止することができる。
【発明を実施するための最良の形態】
【０００９】
実施の形態１．
図１はエレベータかご室の天井部分の斜視図、図２はこの発明の実施の形態１における図１のＡ−Ａ線断面図である。図において、エレベータかご室１２の天井板１４には、かご室１２の内部を照らす複数の光源２が設置されている。また、天井板１４の下方には照明装置箱１が設置され、この照明装置箱１と天井板１４とによって光源２などの機器類を収容する照明部１３が形成されている。照明装置箱１の下面には、光源２に対向するそれぞれの位置に所定の大きさの貫通穴１ａが設けられている。そして、この貫通穴１ａを塞ぐように、下側円周部に切欠きが形成された透光性を有する略円盤形状の下部照明板３が、照明装置箱１に載置されている。また、照明装置箱１には、照明装置箱１に形成された貫通穴１ａと略同形状の貫通穴６ａを有する押え板６が固定されている。そして、この貫通穴６ａを塞ぐとともに下方に設置されている下部照明板３に対向する位置に、透光性を有する略円盤形状の上部照明板４が押え板６に設けられ、対向している下部照明板３の上面と上部照明板４の下面との間に間隙１５が形成されている。この間隙１５には、光源２から放射された光の着色や拡散、あるいは文字や図の表示などを目的とするフィルム状のシート５が配置されている。このシート５の一端部は照明装置箱１に設置された固定部からなるシート取付板７に固定され、他端部は張力付与板１０の一端部に固定されている。また、張力付与板１０の他端部は張力付与部からなるバネ８の一端部に固定され、このバネ８の他端部が照明装置箱１に設置されたバネ取付板１１に固定されることによって、バネ８の張力がシート５に作用する構成となっている。このような構成により、光源２から放射された光は、透光性を有する上部照明板４、シート５及び下部照明板３を通過してかご室１２の内部に導かれる。
【００１０】
この発明の実施の形態１によれば、シート５の一端は照明装置箱１に設けられたシート取付板７に固定され、他端はバネ８によって張力が付与されている張力付与板１０に固定されている。このようにシート５には常にバネ８の張力が作用しているため、シート５に生じるしわやたるみを防止することができる。また、下部照明板３と上部照明板４との間に間隙１５が形成され、この間隙１５にシート５が配置されているため、照明板とシート５との熱膨張率の違いや照明板の押圧力によってシート５にしわやたるみが生じるといった問題が発生する恐れがない。
【００１１】
なお、図２では、シート５の他端に張力を付与する張力付与部としてコイルバネが使用されているが、張力付与板１０を介してシート５に張力を付与できるものであれば、例えば板バネやゴム、あるいは重りなどによる力をシート５に作用させても、実施の形態１と同様の効果を得ることができる。また、シート５の使用目的が、光源２から放射される光の着色又は拡散などの場合には、上部照明板４及び上部照明板４が固定されている押え板６を使用しなくても、実施の形態１と同様の効果を得ることが可能である。シートの使用目的が文字や図の表示などの場合は、上部照明板４に光の拡散性を有するものを使用することで、上部照明板４の上方にある光源２などの装置や天井板１４をエレベータかご室から見ることができなくなり、さらに意匠性を改善することができる。
【００１２】
実施の形態２．
図３は、この発明の実施の形態２における図２の照明板周辺部を示す図である。図において、下部照明板３の上面円周部に所定の厚みを有する環状のスペーサ９ａが設けられ、上部照明板４の下面円周部には、スペーサ９ａと略同じ厚みを有する環状のスペーサ９ｂが設けられている。そして、この２つのスペーサ９ａ及び９ｂ間にシート５が配置されている。その他は実施の形態１と同様の構成となっている。
【００１３】
この発明の実施の形態２によれば、下部照明板３の上面に設けられたスペーサ９ａと上部照明板４の下面に設けられたスペーサ９ｂとの間に、張力を付与されたシート５が配置されている。このようにシート５の上方及び下方にスペーサ９ａ及び９ｂがそれぞれ配置されているため、下部照明板３の上面又は上部照明板４の下面にシート５が密着する恐れがなく、シート５と上下に位置する照明板３及び４との密着によって生じる干渉縞の発生を防止することができる。また、実施の形態１と同様に、シート５の他端には張力が付与されているため、シート５に生じるしわやたるみを防止することができ、意匠性の良い照明装置の実現が可能となる。
【００１４】
なお、実施の形態２においても実施の形態１の場合と同様に、張力付与部としてコイルバネの代わりに板バネやゴム、あるいは重りなどを使用してシート５に張力を作用させても同様の効果を得ることができる。また、シート５の使用目的が、光源２から放射される光の着色又は拡散などの場合には、上部照明板４、上部照明板４が固定されている押え板６及びスペーサ９ｂを使用しなくても、同様の効果を得ることが可能である。シートの使用目的が文字や図の表示などの場合は、上部照明板４に光の拡散性を有するものを使用することで、実施の形態１同様にさらに意匠性を改善することができる。
【図面の簡単な説明】
【００１５】
【図１】エレベータかご室の天井部分の斜視図である。
【図２】この発明の実施の形態１における図１のＡ−Ａ線断面図である。
【図３】この発明の実施の形態２における図２の照明板周辺部を示す図である。
【符号の説明】
【００１６】
１  照明装置箱
１ａ  貫通穴
２  光源
３  下部照明板
４  上部照明板
５  シート
６  押え板
７  シート取付板
８  バネ
９ａ、９ｂ  スペーサ
１０  張力付与板
１１  バネ取付板
１２  かご室
１３  照明部
１４  天井板
【図１】
2005060088.tif 000003
【図２】
2005060088.tif 000004
【図３】
2005060088.tif 000005